(57)【特許請求の範囲】
【請求項１】
長さが短く肉薄な第１のカードと、この第１のカードより長さが長く肉厚な第２のカードの両方が挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記収納部に、傾斜面部を有する案内部材を設け、前記第１のカードの挿入時には、前記第１のカードは前記傾斜面部とは当接されずに前記第１のコネクタ端子と前記第１のカードの接触端子部が接触すると共に、前記第２のカードの挿入時には、前記第２のカードが前記傾斜面部と当接して案内されることにより、前記第１のコネクタ端子と前記第２のカードの底面が接触しない位置まで押し上げるようにし、前記案内部材は、カードの挿入及び排出方向に移動可能に配設されたスライド部材からなり、前記スライド部材には、カード挿入方向に沿って前記傾斜面部の手前側に前記第１のカードの前面部と係合する第１の前面係止部を形成すると共に、前記傾斜面部の奥側には前記第２のカードの前面部と係合する第２の前面係止部を形成し、前記第１のカードの挿入時には、前記第１のカードは前記第１の前面係止部と係合して前記スライド部材をカードの挿着位置に移動させると共に、前記第２のカードの挿入時には、前記第２のカードは前記傾斜面部によって前記第１のコネクタ端子とは接触しない位置へ案内された後、前記第２の前面係止部と係合して前記スライド部材をカードの挿着位置に移動させるようにしたことを特徴とするカード用コネクタ装置。
【請求項２】
前記ハウジング前面に設けられたカード挿入部と、このカード挿入部の両側に設けられ前記第１及び第２のカードを案内するガイド部とを備え、前記ガイド部に、前記第１のカードの側面部と当接して前記第１のカードの挿入を案内する第１の案内面と、前記第２のカードの側面部と当接して前記第２のカードの挿入を案内する第２の案内面を形成し、前記第２の案内面を前記第１の案内面より内方で高さの異なる上方位置に形成すると共に、前記第２のコネクタ端子の接点位置を前記第１のコネクタ端子の接点位置より上方位置に形成したことを特徴とする請求項１記載のカード用コネクタ装置。
【請求項３】
前記スライド部材をカード排出方向へ付勢する付勢部材と、前記スライド部材をカード挿着位置にロックするハート型カム溝、及びこのハート型カム溝に沿って摺動するロックピンとを備え、前記ロックの解除時には、前記スライド部材がカード排出方向へ移動するのに伴って、前記第１のカードは前記第１の前面係止部で押され、前記第２のカードは前記第２の前面係止部で押されて排出位置まで移動することを特徴とする請求項１、又は２記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【０００５】
【発明が解決しようとする課題】
しかしながら、それぞれのメモリーカード専用のカード用コネクタ装置を準備する場合には、カード用コネクタ装置を搭載する電子機器が大型化してしまい、また、メモリーカードを挿着する際に、種類の異なるメモリーカードを間違って別のカード用コネクタに挿入してしまうという不具合が発生する問題があった。
【０００６】
このため、長さの異なる二つのカードを挿着可能にするために、各カードの接触端子部と接触可能なコネクタ端子部をカードの挿入方向に沿って前後二列に配設する構造が提案されているが、かかる構造では、長い方のカードを挿入する場合、長いカードは手前側に配設されたコネクタ端子を乗り越えて奥側に配設されたコネクタ端子と接触する位置まで移動されることになるため、長いカードは手前側のコネクタ端子と擦れて底面が摩耗することや、挿入時の抵抗が大きくなってしまうという問題があった。
【０００７】
したがって、本発明では上述した問題点を解決し、コネクタ端子をカードの挿入方向に沿って前後に配設して長さの異なるカードを挿着可能にすると共に、カードの挿入時に各カードを円滑に挿入することができるカード用コネクタ装置を提供することを目的とする。
【０００８】
【課題を解決するための手段】
上記課題を解決するために本発明では第１の手段として、長さが短く肉薄な第１のカードと、この第１のカードより長さが長く肉厚な第２のカードの両方が挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記収納部に、傾斜面部を有する案内部材を設け、前記第１のカードの挿入時には、前記第１のカードは前記傾斜面部とは当接されずに前記第１のコネクタ端子と前記第１のカードの接触端子部が接触すると共に、前記第２のカードの挿入時には、前記第２のカードが前記傾斜面部と当接して案内されることにより、前記第１のコネクタ端子と前記第２のカードの底面が接触しない位置まで押し上げるようにし、前記案内部材は、カードの挿入及び排出方向に移動可能に配設されたスライド部材からなり、前記スライド部材には、カード挿入方向に沿って前記傾斜面部の手前側に前記第１のカードの前面部と係合する第１の前面係止部を形成すると共に、前記傾斜面部の奥側には前記第２のカードの前面部と係合する第２の前面係止部を形成し、前記第１のカードの挿入時には、前記第１のカードは前記第１の前面係止部と係合して前記スライド部材をカードの挿着位置に移動させると共に、前記第２のカードの挿入時には、前記第２のカードは前記傾斜面部によって前記第１のコネクタ端子とは接触しない位置へ案内された後、前記第２の前面係止部と係合して前記スライド部材をカードの挿着位置に移動させるようにしたことを特徴とする。
【００１０】
また、第２の手段として、前記ハウジング前面に設けられたカード挿入部と、このカード挿入部の両側に設けられ前記第１及び第２のカードを案内するガイド部とを備え、前記ガイド部に、前記第１のカードの側面部と当接して前記第１のカードの挿入を案内する第１の案内面と、前記第２のカードの側面部と当接して前記第２のカードの挿入を案内する第２の案内面を形成し、前記第２の案内面を前記第１の案内面より内方で高さの異なる上方位置に形成すると共に、前記第２のコネクタ端子の接点位置を前記第１のコネクタ端子の接点位置より上方位置に形成したことを特徴とする。
【００１１】
また、第３の手段として、前記スライド部材をカード排出方向へ付勢する付勢部材と、前記スライド部材をカード挿着位置にロックするハート型カム溝、及びこのハート型カム溝に沿って摺動するロックピンとを備え、前記ロックの解除時には、前記スライド部材がカード排出方向へ移動するのに伴って、前記第１のカードは前記第１の前面係止部で押され、前記第２のカードは前記第２の前面係止部で押されて排出位置まで移動することを特徴とする。
【００１２】
【発明の実施の形態】
以下、本発明の実施形態を図１乃至図２４に示す。図１は第１のカード挿入時のカード用コネクタ装置の平面図、図２は同じく正面図、図３は同じく縦断面図、図４は第１のカードが第１のカード収容部に収容された状態のカード用コネクタ装置の平面図、図５は同じく縦断面図、図６は第１のカード挿着時のカード用コネクタ装置の平面図、図７は同じく縦断面図、図８は第２のカード挿入時のカード用コネクタ装置の平面図、図９は同じく正面図、図１０は同じく縦断面図、図１１は第２のカード挿入途上のカード用コネクタ装置の平面図、図１２は同じく正面図、図１３は同じく縦断面図、図１４は第２のカードが第２のカード収容部に収容された状態のカード用コネクタ装置の平面図、図１５は同じく正面図、図１６は同じく縦断面図、図１７は第２のカード挿着時のカード用コネクタ装置の平面図、図１８は同じく縦断面図、図１９は第１のカードの平面図、図２０は同じく正面図、図２１は同じく底面図、図２２は第２のカードの平面図、図２３は同じく正面図、図２４は同じく底面図である。
【００１３】
図において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。
【００１４】
前記収納部１ａには、弾性を有する導電性の金属材からなる第１、及び第２のコネクタ端子２、３が複数個並設されている。前記第１のコネクタ端子２は、前記収納部１ａのカード挿入方向の手前側に配設されており、平板状の基部と、この基部から互いに対向する方向へ略Ｚ字状に屈曲されて形成された接続片２ａ及び接触片２ｂとから形成されている。前記第１のコネクタ端子２は、一端側に形成された前記接続片２ａが、前記収納部１ａの底面部に設けられた開口部１ｃから外方へ表出して配設されており、この接続片２ａが電子機器などの外部の回路基板上の回路パターンと半田付けされて固着されることで信号の伝送が行われるものとなる。
【００１５】
また、前記第１のコネクタ端子２の基部の他端側に形成された前記接触片２ｂが、前記収納部１ａの底部に片持ち状に支持されて前記収納部１ａ内に突出して配設されたものとなっている。また、前記接触片２ｂの先端側には、後述する第１のカード１２の接触端子部１２ａに接続される接点部２ｃが形成されている。
【００１６】
前記第２のコネクタ端子３は、前記収納部１ａの前記第１のコネクタ端子２の配設位置よりも奥側に配設されており、平板状の基部と、この基部から互いに対向する方向へ屈曲されて形成された接続片３ａ及び接触片３ｂとから形成されている。前記第２のコネクタ端子３は、一端側に形成された前記接続片３ａが、前記ハウジング１の後方外側面から外方へ表出して配設されており、この接続片３ａが電子機器などの外部の回路基板上の回路パターンと半田付けされて固着されることで信号の伝送が行われるものとなる。
【００１７】
また、前記第２のコネクタ端子３の基部の他端側に延出されて形成された前記接触片３ｂが、前記収納部１ａ内に突出して配設されたものとなっている。また、前記接触片３ｂの先端側には、後述する第２のカード１３の接触端子部１３ａに接続される接点部３ｃが形成されている。
【００１８】
また、前記カード挿入部１ｂには、後述する第１及び第２のカード１２、１３の底面部を案内する平面からなる平坦部１ｄが設けられており、この平坦部１ｄを挟んで両側には、後述する第１及び第２のカード１２、１３の側面部を案内する一対のガイド部１ｅ、１ｅが形成されている。また、前記カード挿入部１ｂは、最大幅が第１のカード１２の幅と略等しくなるように形成されており、また、最大厚さは第２のカード１３の厚さより大きくなるように形成されている。
【００１９】
また、一対の前記ガイド部１ｅ、１ｅには、段差状の平行面からなる複数の案内面が形成されており、前記ガイド部１ｅの下端側には、第１のカード１２の側面部と当接して第１のカード１２を挿着位置へ案内する凹状の第１の案内面１ｆが形成されている。また、前記ガイド部１ｅの上端側には、凹状の前記第１の案内面１ｆよりも内側に位置され、第２のカード１３の側面部と当接して第２のカード１３を挿着位置へ案内する凸状の第２の案内面１ｇが形成されたものとなっている。
【００２０】
尚、前記第１の案内面１ｆと前記第２の案内面１ｇとは、前記第１の案内面１ｆが前記第２の案内面１ｇより外方に形成されていると共に、前記第２の案内面１ｇを前記第１の案内面１ｆよりも上方位置に形成し、お互いの位置が高さ方向に異なった位置に形成されたものとなっている。
【００２１】
このように、前記第２の案内面１ｇを前記第１の案内面１ｆよりも上方位置に形成し、前記収納部１ａに挿入される後述する第２のカード１３の底面が、前記収納部１ａに挿入される後述する第１のカード１２の底面よりも上方に位置するように形成することにより、各カードを案内する前記第１及び第２の案内面１ｆ、１ｇを、それぞれ高さ方向の異なる位置に形成するという簡単な構成で、第２のカード１３が挿入された場合にのみ第２のカード１３の底面を前記第１のコネクタ端子２の接点部２ｃの底面と接触しない位置まで押し上げることができるものとなっている。
【００２２】
また、前記第２のコネクタ端子３は、前記第１のコネクタ端子２よりも上方となるように前記ハウジング１の収納部１ａに配設されて形成されており、前記第２のコネクタ端子３の接点部３ｃの位置を前記第１のコネクタ端子２の接点部２ｃの位置よりも上方位置となるように形成してあるので、長さが長く肉厚な第２のカード１３が前記収納部１ａに挿入される場合には、第２のカード１３が前記第２の案内面１ｇと後述する傾斜面部９ｇにより前記第１のコネクタ端子２と接触しない上方位置に案内されたとしても、第２のカード１３と前記第２のコネクタ端子２との接触を確実なものとすることができるものとなっている。
【００２３】
また、前記ハウジング１の一側部には、後述するスライド部材９をカードの排出方向へ付勢するコイルばねからなる復帰ばね４を収容するばね収容部が形成されている。また、このばね収容部の一端側には、スライド部材９をカードの挿着位置に保持する金属の線材からなるロックピン５が回動可能に軸支されている。
【００２４】
また、前記ハウジング１の対向する他側部には、検出手段の一部である導電性の金属板からなる固定接点部材６と、この固定接点部材６を挟んで上下位置に同じく導電性の金属板からなる第１の可動接点部材７及び第２の可動接点部材８が配設されている。
【００２５】
この場合、前記固定接点部材６と前記第１の可動接点部材７とは上下方向（この場合カード挿入方向に直交する方向）に対向した状態で前記ハウジング１に配設されており、後述する第１のカード１２の挿入に伴い、前記固定接点部材６と前記第１の可動接点部材７とが接触することで第１のカード１２の挿入が完了したことを検出するようになっている。
【００２６】
また、前記固定接点部材６と前記第２の可動接点部材８とは横方向に対向した状態で前記ハウジング１に配設されており、後述する第１のカード１２の識別子１２ｄに前記第２の可動接点部材８が押圧／非押圧されることにより、前記固定接点部材６と前記可動接点部材８とが接触／非接触することで後述する第１のカード１２の書き込み禁止か否かを検出するようになっている。
【００２７】
このように、検出手段は、前記第１の可動接点部材７と、この第１の可動接点部材７と一端側が接離される前記固定接点部材６と、この固定接点部材６の他端側と接離される前記第２の可動接点部材８とから形成されているので、後述する第１のカード１２の挿入の完了の検出と、第１のカード１２への書き込みの禁止の検出とを一つの検出手段で行うことができるものとなっている。
【００２８】
案内部材であるスライド部材９は、合成樹脂などの絶縁材から形成されており、このスライド部材９には、手前側に位置して後述する第１のカード１２が収容される第１のカード収容部９ａと、この第１のカード収容部９ａより後方側に位置して後述する第２のカード１３が収容される第２のカード収容部９ｂとが形成されている。
【００２９】
また、前記第１のカード収容部９ａの一側面部には、収容される第１のカード１２の側面部に設けられた位置決め用の凹部１２ｅに係合する、ばね性を有する金属板等からなる第１係合片１０が固着されており、また、前記第２のカード収容部９ｂの一側面部には、同じく、収容される第２のカード１３の側面部に設けられた位置決め用の凹部１３ｃに係合する、ばね性を有する金属板等からなる第２係合片１１が固着されたものとなっている。
【００３０】
また、前記スライド部材９には、前記ハウジング１のばね収容部に収容された、前記復帰ばね４の一端部が係止されるばね係止部９ｃが設けられており、また前記スライド部材９の一端側には、前記ハウジング１の一端側に軸支された前記ロックピン５の他端が摺接されるハート型カム溝９ｄが形成されている。前記ロックピン５と前記ハート型カム溝９ｄとの協同によって前記スライド部材９は、前記復帰ばね４の付勢力に抗してカードの挿着位置に保持されるものとなっている。
【００３１】
また、前記第１のカード収容部９ａの両前端部には、挿入される後述する第１のカード１２の前面部と係合する第１の前面係止部９ｅが形成されており、また、前記第２のカード収容部９ｂの両前端部には、挿入される後述する第２のカード１３の前面部と係合する第２の前面係止部９ｆがそれぞれ形成されている。
【００３２】
また、前記スライド部材９の中央で、前記第１のカード収容部９ａと前記第２のカード収容部９ｂとの間には、前記第１のカード収容部９ａから前記第２のカード収容部９ｂに向かって登り坂となる傾斜面部９ｇが形成されている。すなわち、前記スライド部材９の奥側に形成された前記第２のカード収容部９ｂは、手前側に形成された前記第１のカード収容部９ａに対して、前記傾斜面部９ｇを介して一段上がった位置に形成されたものとなっている。
【００３３】
このように、前記スライド部材９には、カード挿入方向に沿って前記傾斜面部９ｇの手前側に第１のカード１２の前面部と係合する前記第１の前面係止部９ｅが形成されていると共に、前記傾斜面部９ｇの奥側には第２のカード１３の前面部と係合する前記第２の前面係止部９ｆが形成されたものとなっている。そして、第１のカード１２の挿入時には、第１のカード１２は前記第１の前面係止部９ｅと係合して前記スライド部材９をカードの挿着位置に移動させるようになっており、第２のカード１３の挿入時には、第２のカード１３は前記傾斜面部９ｇによって上方に押し上げられることにより底面が前記第１のコネクタ端子２とは接触しない位置へ案内された後、前記第２の前面係止部９ｆと係合して前記スライド部材９をカードの挿着位置に移動させるようになっている。
【００３４】
このように、長さが長く肉厚な第２のカード１３が前記ハウジング１の収納部１ａに挿入される場合においては、第２のカード１３は前記第１のコネクタ端子２と接触しない状態で前記スライド部材９と共に奥側へ移動させられることから、カード底面の摩耗を回避出来、かつ、挿入抵抗を小さくすることができるものとなっている。
【００３５】
また、前記スライド部材９のロックを解除してカードを排出させる場合には、カードを再度押圧することにより、前記スライド部材９がカード排出方向へ移動するのに伴って、第１のカード１２は前記第１の前面係止部９ｅ、９ｅで押され、第２のカード１３は前記第２の前面係止部９ｆ、９ｆで押されて排出位置まで移動することから、簡単な構造でカード排出機構が構成でき、長さや大きさの異なる第１のカード１２、及び第２のカード１３を容易に挿着及び排出させることができるものとなっている。
【００３６】
尚、図示はしないが、前記ハウジング１の上面側には、金属板からなるカバー部材が、前記ハウジング１の上面側の開口部を覆うように取り付けられている。また、このカバー部材は前記ハウジング１の収納部１ａに配設された前記第１及び第２のコネクタ端子２、３の上面を覆うように形成されており、外部からの輻射ノイズ等の侵入を防止するシールド板の役目も果たすものとなっている。
【００３７】
図１７乃至１９において、第１のカード１２は、内部に集積回路（ＩＣ）が収納されており、記録媒体として広く使用されているものである。この第１のカード１２の一表面には、その一端側に複数の接触端子部１２ａが形成されており、この接触端子部１２ａが前記ハウジング１の収納部１ａに配設された前記第１のコネクタ端子２の接触片２ｂと接触することにより、外部に接続された電子機器との種々の情報処理が行われるものとなっている。
【００３８】
また、前記第１のカード１２には、前記接触端子部１２ａの形成側のその一隅部に、斜面状の切り欠き部１２ｂが設けられている。前記第１のカード１２が前記スライド部材９の第１のカード収容部９ａに挿入された時、この切り欠き部１２ｂと他端側の角部が前記スライド部材９の第１のカード収容部９ａの前記第１の前面係止部９ｅ、９ｅに係合することによって、前記スライド部材９が前記第１のカード１２の挿入に伴って挿入方向へ移動可能となるように形成されている。
【００３９】
また、前記第１のカード１２の一側面部には、カードの書き込み禁止を示す識別部である凹溝部１２ｃが形成され、この凹溝部１２ｃにはスライド可能な識別子１２ｄが設けられている。この識別子１２ｄをスライド移動させることにより、前記凹溝部１２ｃの位置を変更することができ、この位置に応じてカードへの書き込みの可否を変更することが可能となっている。
【００４０】
また、前記第１のカード１２の他側面部には、位置決め用の凹部１２ｅが形成されている。この凹部１２ｅに前記第１のカード収容部９ａの一側面部に設けられたばね性を有する前記第１係合片１０が係合することで前記第１のカード１２を前記スライド部材９の第１のカード収容部９ａに保持させるものとなっている。
【００４１】
尚、前記第１のカード１２の下面側両端部には長尺状の切り溝部１２ｆが形成されており、この切り溝部１２ｆを除いた最大幅寸法はやや幅広に形成されており、これに対して最大厚さ寸法はやや肉薄に形成されたものとなっている。
【００４２】
図２０乃至２２において、第２のカード１３は、内部に集積回路（ＩＣ）が収納されており、記録媒体として広く使用されているものである。この第２のカード１３の一表面には、その一端側に複数の接触端子部１３ａが形成されており、この接触端子部１３ａが前記ハウジング１の収納部１ａに配設された前記第２のコネクタ端子３の接触片３ｂと接触することにより、外部に接続された電子機器との種々の情報処理が行われるものとなっている。
【００４３】
また、前記第２のカード１３の一端部には傾斜面からなる切り欠き部１３ｂが形成されており、この切り欠き部１３ｂと一定の間隔をおいて前記第２のカード１３の一側面部には、位置決め用の凹部１３ｃが形成されている。前記第２のカード１３を前記スライド部材９の第２のカード収容部９ｂに挿入する際、この凹部１３ｃに、前記第２のカード収容部９ｂの一側面部に設けられたばね性を有する前記第２係合片１１が係合することにより、第２のカード１３を前記スライド部材９の第２のカード収容部９ｂに保持させるものとなっている。
【００４４】
前記第２のカード１３が前記スライド部材９の第２のカード収容部９ｂに挿入された時、前記第２のカード１３の前縁部が前記スライド部材９の第２のカード収容部９ｂの一対の前記前面係止部９ｆ、９ｆに当接することによって、前記スライド部材９が前記第２のカード１３の挿入に伴って挿入方向へ移動可能となるように形成されている。
【００４５】
尚、前記第２のカード１３は略長方体状に形成されており、前記第１のカード１２に比較して、最大幅寸法はやや幅狭に形成されており、これに対して最大厚さ寸法はやや肉厚に形成されたものとなっている。また、挿入方向の長さが前記第１のカード１２よりも長く長尺状に形成されたものとなっている。
【００４６】
上記構成のように、形状の異なる、それぞれの前記第１のカード１２、及び前記第２のカード１３を前記ハウジング１のカード挿入部１ｂに挿入する場合、上記実施例の構成においては、図２及び図９、図１５に示すように、前記カード挿入部１ｂは、最大幅が、幅広、肉薄である前記第１のカード１２の幅と略等しくなるように形成されており、また、最大厚さは、幅狭、肉厚である前記第２のカード１３の厚さより大きくなるように形成されていることから、それぞれの前記第１、及び第２のカード１２、１３の挿入が可能となっている。
【００４７】
また、この場合、前記カード挿入部１ｂの両側部には一対の前記ガイド部１ｅ、１ｅが形成されており、この前記ガイド部１ｅに前記第１のカード１２の側面部と当接して第１のカード１２を挿着位置に案内する凹状の第１の案内面１ｆと、前記第２のカード１３の側面部と当接して第２のカード１３を挿着位置へ案内する凸状の第２の案内面１ｇとを形成したことから、形状の異なる複数種類のカードを円滑に、かつ確実にカードの挿着位置に案内することができるものとなっている。
【００４８】
また、前記第２のカード１３は前記第１のカード１２よりも挿入方向の長さが長く長尺状に形成されており、また、前記ハウジング１の収納部１ａには、前記第１のカード１２の接触端子部１４ａと接触する前記第１のコネクタ端子２と、前記第２のカード１３の接触端子部１２ａと接触する前記第２のコネクタ端子３とを、カードの挿入方向に違えて、それぞれの前記接触端子部１２ａ、１３ａの形成位置に対応させて配設するようにしたことから、形状の異なる複数種類のカードと、これらを挿着するコネクタ装置のコネクタ端子との接触を確実に行うことができるものとなっている。
【００４９】
次に、図１乃至図７、及び図８乃至図１８を用いて前記第１のカード１２、及び第２のカード１３をコネクタ装置に挿入する場合の動作を説明する。
まず、図１乃至図３に示す初期の状態、すなわち前記第１のカード１２の未挿入時には、前記スライド部材９は前記復帰ばね４の付勢力によりカードの排出方向へ付勢されている。この時、前記固定接点部材６と第１及び第２の可動接点部材７、８は共に離間しておりオフ状態となっている。
【００５０】
次に、前記第１のカード１２が、前記スライド部材９の第１のカード収容部９ａに挿入されると、前記第１のカード１２は、前記第１係合片１０により位置決め用の前記凹部１２ｅが係合されて前記第１のカード収容部９ａに保持されるものとなる。そして、前記第１のカード１２の切り欠き部１２ｂと他端側の角部とが、前記第１のカード収容部９ａの前記第１の前面係止部９ｅ、９ｅに当接する。この時、前記第１のカード１２の接触端子部１２ａは前記第１のコネクタ端子２の接触片２ｂの接点部とは離間している。（図４、図５）
【００５１】
次に、前記第１のカード１２をカードの挿入方向へ押圧してやると、前記第１のカード１２の切り欠き部１２ｂと他端側の角部が、前記スライド部材９の第１のカード収容部９ａの前記第１の前面係止部９ｅ、９ｅに係合していることから、前記スライド部材９が前記第１のカード１２の挿入に伴って挿入方向へ移動可能となり、前記復帰ばね４の付勢力に抗して前記スライド部材９がカードの挿入方向へ移動して、前記ロックピン５の一端部が前記ハート型カム溝６ｄをトレースしてロック位置にロックされる。（図６）
【００５２】
この時、前記第１のカード１２は、前記ハウジング１のカード挿入部１ｂの第１の案内面１ｆにガイドされてカード挿着位置まで案内されることから、前記スライド部材９の傾斜面部９ｇにより上方へ押し上げられることがないので、前記第１のカード１２の接触端子部１２ａは前記第１のコネクタ端子２の接触片２ｂの接点部２ｃと接触するものとなる。（図７）
【００５３】
また、この時、前記第１の可動接点部材７が押圧されることにより、前記固定接点部材６と接触することで前記第１のカード１２の挿入が完了したことを検出することができる。また、前記第１のカード１２に設けられた前記識別子１２ｄが前記第２の可動接点部材８を押圧／非押圧することにより、前記固定接点部材６と接触／非接触することで前記第１のカード１２の書き込み禁止か否かを検出することができるものとなっている。（図６）
【００５４】
このように、前記第１のカード１２の挿入時には、前記第１の案内面１ｆのガイドによって前記第１のカード１２が上方に変位されないようにしたことにより、前記第１のカード１２の接触端子部１２ａと前記第１のコネクタ端子２の接触片２ｂの接点部２ｃとを確実に接触させることができるものとなっている。
【００５５】
次に、図８乃至図１０に示す初期の状態、すなわち前記第２のカード１３の未挿入時には、前記スライド部材９は前記復帰ばね４の付勢力によりカードの排出方向へ付勢されている。この時、前記固定接点部材６と第１及び第２の可動接点部材７、８は共に離間しておりオフ状態となっている。
【００５６】
次に前記第２のカード１３が、前記スライド部材９の第１のカード収容部９ａに挿入されると、前記第２のカード１３の前端部が前記傾斜面部９ｇにより案内されて上方に押し上げられ、前記第２のカード１３は前記スライド部材９の奥方に形成された第２のカード収容部９ｂへ案内されるものとなる。（図１１乃至図１３）
【００５７】
次に、前記第２のカード１３が、前記スライド部材９の第２のカード収容部９ｂに挿入されると、前記第２のカード１３は、前記第２係合片１１により位置決め用の前記凹部１３ｃが係合されて前記第２のカード収容部９ｂに保持されるものとなる。そして、前記第２のカード１３の前縁部が、前記第２のカード収容部９ｂの前記第２の前面係止部９ｆ、９ｆに当接する。この時、前記第２のカード１３の接触端子部１３ａは前記接触片３ｂの接点部とは離間しており。また、前記第２のカード１３の底面も前記接触片２ｂとは離間されている。（図１４乃至図１６）
【００５８】
次に、前記第２のカード１３をカードの挿入方向へ押圧してやると、前記第２のカード１３の前縁部が前記スライド部材９の第２のカード収容部９ｂの一対の前記第２の前面係止部９ｆ、９ｆと係合することによって、前記スライド部材９が前記第２のカード１３の挿入に伴って挿入方向へ移動可能となり、前記復帰ばね４の付勢力に抗して前記スライド部材９がカードの挿入方向へ移動して、前記ロックピン５の一端部が前記ハート型カム溝９ｄをトレースしてロック位置にロックされる。（図１７）
【００５９】
この前記第２のカード１３の挿入に伴い、前記第２のカード１３が前記スライド部材９の傾斜面部９ｇによって上方へ押し上げられることから、前記第２のカード１３の底面が、前記第１のコネクタ端子２の接触片２ｂの前記接点部２ｃと接触することなくカードの挿着位置まで挿入されるものとなる。そして、前記第２のカード１３の接触端子部１３ａは、前記第１のコネクタ端子２の接触片２ｂの接点部２ｃより高い位置に形成された前記第２のコネクタ端子３の接触片３ｂの接点部３ｃと接触するものとなる。（図１８）
【００６０】
この場合、前記第１のカード１２は幅広かつ肉薄に形成され、前記第２のカード１３は前記第１のカード１２より幅狭かつ肉厚に形成されており、前記第２のカード１３は、前記第１のカード１２に比べてその幅が狭くなっていることから、挿入の過程において、前記第１のカード収容部９ａに設けられた前記第１の前面係止部９ｅ、９ｅとは当接されず、また、前記ハウジング１に設けられた前記第１及び第２の可動接点部材７、８とも当接されずに、前記スライド部材９と共にカードの挿着位置まで挿入されるものとなっている。
【００６１】
上記構成によれば、前記第１のカード１２、及び前記第２のカード１３が収容される前記第１の収容部９ａ、及び前記第２の収容部９ｂを有するスライド部材９に、前記第２の収容部９ｂに向かって登り坂となる前記傾斜面部９ｇを設けて前記第２の収容部９ｂを前記第１の収容部９ａに対して一段高くなるように形成し、前記第１のカード１２の挿入時には、前記第１のカード１２は前記傾斜面部９ｇとは当接されずに前記第１のコネクタ端子２と前記第１のカード１２の接触端子部１２ａが接触すると共に、前記第２のカード１３の挿入時には、前記第２のカード１３が前記傾斜面部９ｇと当接して案内されることにより、前記第１のコネクタ端子２と前記第２のカード１３の底面が接触しない位置まで押し上げるようにしたことから、長さが長く肉厚な前記第２のカード１３が前記収納部１ａに挿入される場合においては、前記収納部１ａの手前側に並設された前記第１のコネクタ端子２と前記第２のカード１３の底面が接触しない位置まで押し上げられるため、カード挿入時の抵抗が大きくなることを防止できると共に、前記第１のコネクタ端子２と擦れて底面が摩耗することを防止でき、カードの挿入時に各カードを円滑に挿入することができるものとなっている。
【００６２】
【発明の効果】
以上説明したように、本発明のカード用コネクタ装置は、長さが短く肉薄な第１のカードと、この第１のカードより長さが長く肉厚な第２のカードの両方が挿着可能な収納部を有するハウジングと、収納部のカード挿入方向に沿って手前側と奥側にそれぞれ並設され、第１のカードの接触端子部と接続される複数の第１のコネクタ端子と、第２のカードの接触端子部と接続される複数の第２のコネクタ端子とを備え、収納部に、傾斜面部を有する案内部材を設け、第１のカードの挿入時には、第１のカードは傾斜面部とは当接されずに第１のコネクタ端子と第１のカードの接触端子部が接触すると共に、第２のカードの挿入時には、第２のカードが傾斜面部と当接して案内されることにより、第１のコネクタ端子と第２のカードの底面が接触しない位置まで押し上げるようにしたことから、長さが長く肉厚な第２のカードが収納部に挿入される場合においては、収納部の手前側に並設された第１のコネクタ端子と第２のカードの底面が接触しない位置まで押し上げられるため、カード挿入時の抵抗が大きくなることを防止できると共に、第１のコネクタ端子と擦れて底面が摩耗することを防止でき、カードの挿入時に各カードを円滑に挿入することができる。
【００６３】
また、案内部材は、カードの挿入及び排出方向に移動可能に配設されたスライド部材からなり、スライド部材には、カード挿入方向に沿って傾斜面部の手前側に第１のカードの前面部と係合する第１の前面係止部を形成すると共に、傾斜面部の奥側には第２のカードの前面部と係合する第２の前面係止部を形成し、第１のカードの挿入時には、第１のカードは第１の前面係止部と係合してスライド部材をカードの挿着位置に移動させると共に、第２のカードの挿入時には、第２のカードは傾斜面部によって第１のコネクタ端子とは接触しない位置へ案内された後、第２の前面係止部と係合してスライド部材をカードの挿着位置に移動させるようにしたことから、長さが長く肉厚な第２のカードが収納部に挿入される場合においては、第２のカードは第１のコネクタ端子と接触しない状態でスライド部材と共に奥側へ移動させられるため、カード底面の摩耗を回避出来、かつ、挿入抵抗を小さくすることができる。
【００６４】
また、ハウジング前面に設けられたカード挿入部と、このカード挿入部の両側に設けられ第１及び第２のカードを案内するガイド部とを備え、ガイド部に、第１のカードの側面部と当接して第１のカードの挿入を案内する第１の案内面と、第２のカードの側面部と当接して第２のカードの挿入を案内する第２の案内面を形成し、第２の案内面を第１の案内面より内方で高さの異なる上方位置に形成すると共に、第２のコネクタ端子の接点位置を第１のコネクタ端子の接点位置より上方位置に形成したことから、長さが長く肉厚な第２のカードが収納部に挿入される場合に、第２の案内面と傾斜面部により第１のコネクタ端子と接触しない上方位置に案内されたとしても、第２のカードと第２のコネクタ端子との接触を確実なものとすることができる。
【００６５】
また、スライド部材をカード排出方向へ付勢する付勢部材と、スライド部材をカード挿着位置にロックするハート型カム溝、及びこのハート型カム溝に沿って摺動するロックピンとを備え、ロックの解除時には、スライド部材がカード排出方向へ移動するのに伴って、第１のカードは第１の前面係止部で押され、第２のカードは第２の前面係止部で押されて排出位置まで移動することから、簡単な構造でカード排出機構が構成でき、長さや大きさの異なる第１のカード、及び第２のカードを容易に挿着及び排出させることができる。
【図面の簡単な説明】
【図１】本発明の実施形態である第１のカード挿入時のカード用コネクタ装置を示す平面図である。
【図２】本発明の同じく第１のカード挿入時のカード用コネクタ装置を示す正面図である。
【図３】本発明の同じく第１のカード挿入時のカード用コネクタ装置を示す縦断面図である。
【図４】本発明の第１のカードが第１のカード収容部に収容された状態のカード用コネクタ装置を示す平面図である。
【図５】本発明の同じく第１のカードが第１のカード収容部に収容された状態のカード用コネクタ装置を示す縦断面図である。
【図６】本発明の第１のカード挿着時のカード用コネクタ装置を示す平面図である。
【図７】本発明の同じく第１のカード挿着時のカード用コネクタ装置を示す縦断面図である。
【図８】本発明の第２のカード挿入時のカード用コネクタ装置を示す平面図である。
【図９】本発明の同じく第２のカード挿入時のカード用コネクタ装置を示す正面図である。
【図１０】本発明の同じく第２のカード挿入時のカード用コネクタ装置を示す縦断面図である。
【図１１】本発明の第２のカード挿入途上のカード用コネクタ装置を示す平面図である。
【図１２】本発明の同じく第２のカード挿入途上のカード用コネクタ装置を示す正面図である。
【図１３】本発明の同じく第２のカード挿入途上のカード用コネクタ装置を示す縦断面図である。
【図１４】本発明の第２のカードが第２のカード収容部に収容された状態のカード用コネクタ装置を示す平面図である。
【図１５】本発明の同じく第２のカードが第２のカード収容部に収容された状態のカード用コネクタ装置を示す正面図である。
【図１６】本発明の同じく第２のカードが第２のカード収容部に収容された状態のカード用コネクタ装置を示す縦断面図である。
【図１７】本発明の第２のカード挿着時のカード用コネクタ装置を示す平面図である。
【図１８】本発明の同じく第２のカード挿着時のカード用コネクタ装置を示す縦断面図である。
【図１９】本発明の第１のカードを示す平面図である。
【図２０】本発明の同じく第１のカードを示す正面図である。
【図２１】本発明の同じく第１のカードを示す底面図である。
【図２２】本発明の第２のカードを示す平面図である。
【図２３】本発明の同じく第２のカードを示す正面図である。
【図２４】本発明の同じく第２のカードを示す底面図である。
【符号の説明】
１  ハウジング
１ａ  収納部
１ｂ  カード挿入部
１ｃ  開口部
１ｄ  平坦部
１ｅ  ガイド部
１ｆ  第１の案内面
１ｇ  第２の案内面
２  第１のコネクタ端子
２ａ  接続片
２ｂ  接触片
２ｃ  接点部
３  第２のコネクタ端子
３ａ  接続片
３ｂ  接触片
３ｃ  接点部
４  復帰ばね
５  ロックピン
６  固定接点部材
７  第１の可動接点部材
８  第２の可動接点部材
９  スライド部材（案内部材）
９ａ  第１のカード収容部
９ｂ  第２のカード収容部
９ｃ  ばね係止部
９ｄ  ハート型カム溝
９ｅ  第１の前面係止部
９ｆ  第２の前面係止部
９ｇ  傾斜面部
１０  第１係合片
１１  第２係合片
１２  第１のカード
１２ａ  接触端子部
１２ｂ  切り欠き部
１２ｃ  凹溝部
１２ｄ  識別子
１２ｅ  凹部
１２ｆ  切り溝部
１３  第２のカード
１３ａ  接触端子部
１３ｂ  切り欠き部
１３ｃ  凹部
【図１】
0003827584.tif 000002
【図２】
0003827584.tif 000003
【図３】
0003827584.tif 000004
【図４】
0003827584.tif 000005
【図５】
0003827584.tif 000006
【図６】
0003827584.tif 000007
【図７】
0003827584.tif 000008
【図８】
0003827584.tif 000009
【図９】
0003827584.tif 000010
【図１０】
0003827584.tif 000011
【図１１】
0003827584.tif 000012
【図１２】
0003827584.tif 000013
【図１３】
0003827584.tif 000014
【図１４】
0003827584.tif 000015
【図１５】
0003827584.tif 000016
【図１６】
0003827584.tif 000017
【図１７】
0003827584.tif 000018
【図１８】
0003827584.tif 000019
【図１９】
0003827584.tif 000020
【図２０】
0003827584.tif 000021
【図２１】
0003827584.tif 000022
【図２２】
0003827584.tif 000023
【図２３】
0003827584.tif 000024
【図２４】
0003827584.tif 000025